(57)【要約】【課題】厚い反射板やこの反射板を光導入部に付着するための両面テープが不要であるので、高価部品の材料費低減及び製造工程の短縮により作業性及び生産性を向上させることはもちろん、製造コストを低減することができ、表示部に発散しる光を反射させることによって、輝度をさらに高めることができるキーパッド用光導波路シートを提供する。【解決手段】本発明の光導波路シート２０は、屈折導光傾斜部２３を備える。屈折導光傾斜部２３は光導入部２２の一部を切断及び屈曲して形成したもので、光源の上部に近接して位置する切断先端面２３ａと、前記切断先端面２３ａから光発散部２１に向けて傾斜しており、光導入部２２に延設された傾斜面２３ｂとからなり、このような屈折導光傾斜部２３は光発散部２１にジグザグ状に複数配置される。【選択図】図３
2013197029.tif 000002
【特許請求の範囲】
【請求項１】
キートップ部の表示部の直下部分に位置する光発散部と、光源の上部に位置する光導入部とからなり、光源から照射された光を光導入部を通じて光発散部に誘導して表示部の方向に発散させるキーパッド用光導波路シートにおいて、
前記光源に対向して位置する前記光導入部の少なくとも一部を切断及び屈曲して形成した屈折導光傾斜部を含み、この屈折導光傾斜部は、前記光導入部から前記光源に向けて傾斜しながら延設される傾斜面と、前記光源の上部に近接して位置する前記傾斜面の切断先端面を備えることを特徴とするキーパッド用光導波路シート。
【請求項２】
前記屈折導光傾斜部は、ジグザグ状に複数配置されたことを特徴とする請求項１に記載のキーパッド用光導波路シート。
【請求項３】
前記光発散部の底面には表示部の方向に光を反射させる光反射溝を形成し、前記光反射溝は光導入部に誘導される光の主経路方向に対向する直線溝部と、前記直線溝部の両端から光の主経路方向に沿って延びて突設されて、前記直線溝部の前方に集光誘導空間を形成する集光誘導溝部とからなったことを特徴とする請求項１に記載のキーパッド用光導波路シート。
【請求項４】
前記光反射溝は、前記表示部の紋様に沿って複数配置されて、表示部の紋様に対応する紋様のパターンになるように形成したことを特徴とする請求項３に記載のキーパッド用光導波路シート。
【請求項５】
前記屈折導光傾斜部の傾斜面を含む光導入部の上面には反射テープが付着されたことを特徴とする請求項１または２に記載のキーパッド用光導波路シート。
【発明の詳細な説明】
【技術分野】
【０００１】
本発明はキーパッド用光導波路シートに関するもので、より詳細には携帯電話などの携帯端末機や電子機器のキートップ部に設けられた文字や図形を明るく照らすために、内部の光源から照射される光をキートップ部の文字や図形に誘導するキーパッド用光導波路シートに関するものである。
【背景技術】
【０００２】
一般的に携帯電話などの携帯端末機や電子機器のような装置はスイッチ操作のためのキーボタンや機能表示部（以下、表示部と略称する）がキートップ部に備える。このキートップ部の下部にはスイッチ装置が設けられるキーパッドと印刷回路基板が順に積層されている。また、キートップ部の表示部は数字、文字、図形などの多様な紋様にデザインされており、この表示部を明るく照らすために印刷回路基板にはＬＥＤなどの光源が設けられている。そして、キートップ部とキーパッドとの間には光源から照射された光をキートップ部の表示部に誘導する光導波路シートが設けられている。
【０００３】
図１は一般的な携帯電話を示す正面図である。図に示すように、携帯電話１の正面にはディスプレー部２とキートップ部３が備えられており、キートップ部３にはファンクションキーまたは機能表示のための表示部３ａが備えられている。
【０００４】
図２は図１のＡ−Ａ線断面図であって、従来のキーパッド用光導波路シート４の構成及び設置構造を示すものである。すなわち、光導波路シート４はキートップ部３とキーパッド５との間に設けられており、光発散部４ａと光導入部４ｂとからなっている。ここで、光導波路シート４の光発散部４ａはキートップ部３の表示部３ａ直下部分に位置し、光導入部４ｂは光源６の上部に位置している。したがって、光源６から照射された光は、光導波路シート４の光導入部４ｂを通じて光発散部４ａに誘導されてキートップ部３の表示部３ａ方向に発散することによって、表示部３ａを明るく照らすようになる。
【０００５】
また、光導波路シート４の光発散部４ａの下面には反射テープ７が付着され、より多くの光量を表示部３ａ方向に発散するようになっている。さらに、光導波路シート４の光導入部４ｂの上面には両面テープ９により反射板８が付着されて、やはりより多くの光量を光発散部４ａに誘導できるようになっている。
【０００６】
このような構成の光導波路シート４と光源６は、それぞれの決められた位置に設けなければならない。そのため、光導入部４ｂと光源６との間が一定距離を置いて離間している。したがって、光導入効率を高めるためには光導入部４ｂと光源６との間の間隔を最大限近く維持しなければならない。このために、従来には光導入部４ｂの上面に最も厚い反射板８を付着することによって、その分だけ光導入部４ｂと光源６との間が短くなるようにした。
【０００７】
しかし、厚さが薄く、一面に接着層が形成された反射テープ７とは異なり、厚さが厚い反射板８には接着層が形成されていないため、両面テープ９を利用して付着しなければならない。すなわち、まず、反射板８に両面テープ９の一側面を付着し、続いて、両面テープ９の他側面を光導入部４ｂに付着する工程を行って反射板８を光導入部４ｂに付着した。
【０００８】
このような反射板８の付着工程は、いちいち作業者の手作業により行うため、作業工程が非常に面倒であり、全体作業時間が増加する問題がある。さらに反射テープ７に比べて、価格が非常に高い反射板８は高価の材料である。そのため、従来には反射板８の付着工程により作業性及び生産性が低下することはもちろん、人件費と材料費の上昇により製造コストが上昇する問題がある。
【発明の概要】
【発明が解決しようとする課題】
【０００９】
したがって、前述したような従来の問題点を解決するためになされた本発明は、光導入部と光源との間の距離を最大限近接させることができる屈折導光傾斜部を光導入部に形成することによって、厚い反射板及び、この反射板を光導入部に付着するための両面テープが不必要であるので、高価部品の材料費を低減することができ、製造工程の短縮により作業性及び生産性が向上することはもちろん、製造コストを低減することができるキーパッド用光導波路シートを提供することにその目的がある。
【００１０】
また本発明の他の目的は光導入部に厚い反射板の代わりに薄い反射テープを付着することによって、材料費を低減し、製造工程数を最小化しながら光を光発散部に誘導する機能をより一層向上させることができ、光発散部には光反射溝を形成して表示部に光を反射させることによって、表示部をより一層明るく照らして輝度をさらに高めることができるキーパッド用光導波路シートを提供することにある。
【課題を解決するための手段】
【００１１】
前述した目的を達成するための本発明に係るキーパッド用光導波路シートは、キートップ部の表示部の直下部分に位置する光発散部と、光源の上部に位置する光導入部とからなり、光源から照射された光を光導入部を通じて光発散部に誘導して表示部の方向に発散させるキーパッド用光導波路シートにおいて、前記光源に対向して位置する前記光導入部の少なくとも一部を切断及び屈曲して形成した屈折導光傾斜部を含み、この屈折導光傾斜部は、前記光導入部から前記光源に向けて傾斜しながら延設される傾斜面と、前記光源の上部に近接して位置する前記傾斜面の切断先端面を備えることに特徴がある。
【００１２】
また、本発明のキーパッド用光導波路シートおいて、前記屈折導光傾斜部は、ジグザグ状に複数配置され、前記屈折導光傾斜部の傾斜面を含む光導入部の上面には反射テープが付着されたことに特徴がある。
【００１３】
さらに、本発明のキーパッド用光導波路シートおいて、前記光発散部の底面には表示部の方向に光を反射させる光反射溝を形成し、前記光反射溝は光導入部に誘導される光の主経路方向に対向する直線溝部と、前記直線溝部の両端から光の主経路方向に沿って延びて突設されて、前記直線溝部の前方に集光誘導空間を形成する集光誘導溝部とからなったことに特徴がある。
【００１４】
またさらに、本発明のキーパッド用光導波路シートおいて、前記光反射溝は、前記表示部の紋様に沿って複数配置されて、表示部の紋様に対応する紋様のパターンになるように形成したことに特徴がある。
【発明の効果】
【００１５】
このような特徴的構成を有する本発明によれば、切断先端面が光源に近接して位置する屈折導光傾斜部が光導入部に形成されることによって、光導入部を光源に近接して位置させる必要がなく、これによって光導入部を光源に近接して位置させるために従来に使用した厚さが厚い反射板と、この反射板を光導入部に付着するための両面テープが不要であるので、材料費を低減すると共に、製造工程の短縮により作業性及び生産性が向上して光導波路シートの製造コストを大幅低減することができる効果がある。
【００１６】
また本発明は、屈折導光傾斜部を含んだ光導入部の上面に反射テープを付着することによって、より多くの光量を光発散部に誘導できる。
【００１７】
さらに本発明は、光発散部の光反射溝により光が集光されるので、光発散部から損失される光量を最大限減少させることができると共に、集光された光を表示部に反射させることによって、光発散部における光損失を最小化しながら最大限多くの光を表示部に効率的に反射させて輝度をさらに高めることができる。そして、表示部の紋様に沿って複数の光反射溝が配置され、表示部の紋様に対応する紋様のパターンに形成されることによって、表示部の紋様に光を集中して反射させることができるので、より一層効果的に表示部を明るく照らすことができる有用な発明である。
【図面の簡単な説明】
【００１８】
【図１】一般的な携帯電話を示す正面図である。
【図２】図１のＡ−Ａ線断面図である。
【図３】本発明の一実施形態に係るキーパッド用光導波路シートの設置状態を示す断面図である。
【図４】本発明のキーパッド用光導波路シートにおいて屈折導光傾斜部を示す拡大図である。
【図５】本発明の一実施形態に係るキーパッド用光導波路シートを示す平面図である。
【図６】本発明のキーパッド用光導波路シートにおいて光反射溝の形状を示す拡大図である。
【図７】図７の（ａ）及び（ｂ）は光反射溝の他の形状を示す拡大図である。
【図８】本発明の他の実施形態に係るキーパッド用光導波路シートの設置状態を示す断面図である。
【発明を実施するための形態】
【００１９】
以下、本発明のキーパッド用光導波路シートを添付図面に基づいて詳細に説明する。図３は本発明の好ましい一実施形態を示すキーパッド用光導波路シートの構成及び設置状態を示す図面である。図に示すように本発明の光導波路シート２０は、携帯電話などの携帯端末機や電子機器の各種機能及びスイッチ操作のために備えるキートップ部１１とキーパッド１２との間に設けられる。
【００２０】
光導波路シート２０は、キートップ部１１の表示部１１ａの直下部分に位置する光発散部２１と、印刷回路基板１４に設けられた光源１３の上部に位置する光導入部２２とからなる。したがって、光源１３から照射された光が光導入部２２を通じて光発散部２１に誘導されると、導入された光を表示部１１ａの方向に発散させることによって表示部１１ａを明るく照らす機能を行う。
【００２１】
また、本発明の光導波路シート２０の光導入部２２は、光導入部２２と光源１３をさらに近接させる機能を行う屈折導光傾斜部２３を備える。屈折導光傾斜部２３は光導入部２２の一部を切断及び屈曲して形成するものであって、光源１３に向けて近接して位置する切断先端面２３ａと、この切断先端面２３ａから光発散部２１の方に向けて傾斜しながら光導入部２２に延設された傾斜面２３ｂとからなる。
【００２２】
したがって、屈折導光傾斜部２３の切断先端面２３ａが光源１３に近接して位置することによって、光導入部２２を直接光源１３に近接して位置させなくても、光源１３から照射された光を効率的に導入できるようになる。また、図４に示すように、光源１３から照射された光が屈折導光傾斜部２３の傾斜面２３ｂで屈折反射されて光導入部２２に誘導されるので、光伝達効率を高めることができる。
【００２３】
このような屈折導光傾斜部２３は図５に示すように、光導入部２２に複数形成されるものであり、ジグザグ状に複数配置することによって、さらに効率的に光を導入することができる。また、光導波路シート２０をプレス金型で加工して形成する時、屈折導光傾斜部２３を共に切断及び屈曲して形成することが可能であるので、追加工程や特別な困難なしに簡単に形成できる。
【００２４】
再び図３を参照すると、光導波路シート２０の光発散部２１は、表示部１１ａに光を反射させる光反射溝２４がその底面に形成されている。また光発散部２１の底面には反射テープ２５が付着されて、より多くの光量を表示部１１ａの方向に発散するようになっている。
【００２５】
この光反射溝２４は図５及び図６に示すように、表示部１１ａの紋様に沿って複数配置して、表示部１１ａの紋様に対応する紋様のパターンを形成することが好ましい。この時、光反射溝２４の形状は光導入部２２から誘導される光の主経路方向（矢印ａ方向）に対向する直線溝部２４ａと、この直線溝部２４ａの両端から光の主経路方向に沿って延びて突設され、直線溝部２４ａの前方に集光誘導空間２４ｃを形成する集光誘導溝部２４ｂとからなる。
【００２６】
このような光反射溝２４の直線溝部２４ａと集光誘導溝部２４ｂは、図６に示すような"]"形状に形成することが好ましく、図７の（ａ）及び（ｂ）に示すように"Ι"形状またはダンベル（ｄｕｍｂｂｅｌｌ）形状に形成しても良い。
【００２７】
このような構成になった光導波路シートの作用を説明すると次の通りである。図３に示すように、光源１３から照射された光は光源１３に近接して位置する屈折導光傾斜部２３を通じて光導入部２２に導入される。この時、屈折導光傾斜部２３は光導入部２２を切断及び屈曲して形成したもので、傾斜面２３ｂの長さを長く設定することによって、切断先端面２３ａを光源１３と最大限近接させることができ、これによって光導入効率を高めることができる。
【００２８】
また、図４に示すように、光源１３から照射された光が屈折導光傾斜部２３の傾斜面２３ｂで屈折反射されて光発散部２１の方に直接誘導されるので、より多くの光量を光発散部２１に誘導でき、光伝達効率を向上させることができる。
【００２９】
次に、光導入部２２から光発散部２１に誘導された光はキートップ部１１に備えられた表示部１１ａに発散しることによって、表示部１１ａを明るく照らすようになり、光発散部２１の底面に付着された反射テープ２５によってより多くの光量を表示部１１ａに発散できるようになる。
【００３０】
この時、光発散部２１の底面に形成された光反射溝２４は、図３の拡大図に示すように、光を表示部１１ａの方向に反射させて表示部１１ａの輝度をさらに高める機能を行う。
【００３１】
すなわち、図５及び図６に示すように、光の主経路方向（矢印ａ方向）に対向するように光発散部２１の底面に形成された光反射溝２４の直線溝部２４ａと、光の主経路方向（矢印ａ方向）に沿って形成された集光誘導溝部２４ｂにより直線溝部２４ａの前方に集光誘導空間２４ｃが形成される。したがって、光導入部２２から光発散部２１に誘導される光を集光誘導空間２４ｃに集光でき、この集光された光を表示部１１ａの方向に反射させることができる。また光発散部２１の縁端部から反射されて来た光も光反射溝２４の直線溝部２４ａと集光誘導溝部２４ｂにより表示部１１ａの方向に反射させることができる。
【００３２】
したがって、光発散部２１に誘導された光を光反射溝２４の直線溝部２４ａと集光誘導溝部２４ｂにより集光するので、光量の損失を最小化しながら表示部１１ａの方向により多くの光量を反射させて表示部１１ａの輝度を高めるようになる。
【００３３】
このような構成の光反射溝２４は図５に示すように、表示部１１ａの紋様に沿って複数配置して、表示部１１ａの紋様に対応する紋様のパターンを形成することによって、光を表示部１１ａの紋様に集中させて、より一層明るく照らすことができる。
【００３４】
また、光反射溝２４の直線溝部２４ａと集光誘導溝部２４ｂを図７の（ａ）及び（ｂ）に示すように、"Ι"形状またはダンベル形状に形成する場合、直線溝部２４ａの両側前方に集光誘導空間２４ｃを形成できる。したがって、光発散部２１の縁端部から反射されて光の主経路反対方向に来る光も共に集光して反射させることができるので、光反射効率をより一層向上できる。
【００３５】
図８は本発明の他の実施形態に係る光導波路シート２０Ａの構成及び設置構造を示す図面であって、前述した実施形態の構成に比べて、屈折導光傾斜部２３の傾斜面２３ｂを含む光導入部２２の上面に反射テープ２６を付着した点が異なり、その他の構成は前述した実施形態と全く同様である。したがって、同一の構成要素については同一の参照符号を付し、その構成及び作用についての重複説明は省略する。このような構成によれば、屈折導光傾斜部２３の傾斜面２３ｂを含む光導入部２２の上面に反射テープ２６を付着することによって、前述した実施形態に比べて光源１３から導入されたより多くの光量を光発散部２１に誘導できるようになる。これによってキートップ部１１の表示部１１ａを明るく照らす機能をより一層向上させることができる。
【産業上の利用可能性】
【００３６】
以上のように本発明によれば、切断先端面が光源に近接して位置する屈折導光傾斜部が光導入部に形成されることによって、光導入部を光源に近接して位置させる必要がなく、これによって光導入部を光源に近接して位置させるために従来に使用した厚さが厚い反射板と、この反射板を光導入部に付着するための両面テープが不要であるので、材料費を低減すると共に、製造工程の短縮により作業性及び生産性が向上して光導波路シートの製造コストを大幅低減することができる効果がある。
【００３７】
また本発明によれば、屈折導光傾斜部を含んだ光導入部の上面に反射テープを付着することによって、より多くの光量を光発散部に誘導できる。
【００３８】
さらに本発明によれば、光発散部の光反射溝により光が集光されるので、光発散部から損失される光量を最大限減少させることができると共に、集光された光を表示部に反射させることによって、光発散部における光損失を最小化しながら最大限多くの光を表示部に効率的に反射させて輝度をさらに高めることができる。そして、表示部の紋様に沿って複数の光反射溝が配置され、表示部の紋様に対応する紋様のパターンに形成されることによって、表示部の紋様に光を集中して反射させることができるので、より一層効果的に表示部を明るく照らすことができる有用な発明である。従って、本発明の産業利用性はきわめて高いものといえる。
【００３９】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【符号の説明】
【００４０】
１１  キートップ部
１１ａ  表示部
１３  光源
２０、２０Ａ  光導波路シート
２１  光発散部
２２  光導入部
２３  屈折導光傾斜部
２３ａ  切断先端面
２３ｂ  傾斜面
２４  光反射溝
２４ａ  直線溝部
２４ｂ  集光誘導溝部
２４ｃ  集光誘導空間
２５、２６  反射テープ
【図１】
2013197029.tif 000003
【図２】
2013197029.tif 000004
【図３】
2013197029.tif 000005
【図４】
2013197029.tif 000006
【図５】
2013197029.tif 000007
【図６】
2013197029.tif 000008
【図７】
2013197029.tif 000009
【図８】
2013197029.tif 000010